(57)【要約】      （修正有）【課題】メディアの交換が簡単に行え、また過去に使用されていたメディアに記録保存されていたデータであっても簡単に読出し再生ができるようにする。【解決手段】上位システムの複数のコンピュータと、ＤＶＤチェンジャーに接続された制御端末との間に配置された管理サーバ１２は、前記上位システムの複数のコンピュータで取り扱われているデータ及びＤＶＤ自体にも識別記号を付与し、どのデータがどのＤＶＤに保存されているか及びＤＶＤは現在どの位置にあるのか管理している。更に、ＤＶＤの容量がいっぱいになった時には、ＤＶＤチェンジャー１４の複数の各マガジンラックごと識別記号を付与してＤＶＤ倉庫１５に格納するか、又は一枚のＤＶＤ単体を付与された識別記号に応じてＤＶＤ倉庫内に格納し、容量を容易に増やすことができる。【選択図】図１
2007149146.tif 000002
【特許請求の範囲】
【請求項１】
上位システムのコンピュータと、識別記号を付与してデータ及びＤＶＤの管理を行う管理サーバと、複数のＤＶＤを収納してなるＤＶＤチェンジャーと、前記ＤＶＤチェンジャーを制御し、ＤＶＤチェンジャー内の選択されたＤＶＤに対してデータの書き込み・読出し・保存を行う制御端末と、ＤＶＤチェンジャーから取り出されたＤＶＤを、当該ＤＶＤに付与された識別記号ごとに保管するＤＶＤ倉庫とで構成したことを特徴とする情報の記録、保存、読出し再生システム。
【請求項２】
ＤＶＤチェンジャー内の選択されたＤＶＤに対してデータの書き込み・読出し・保存を行う制御端末と、ＤＶＤチェンジャーから取り出されたＤＶＤを、当該ＤＶＤに付与された識別記号ごとに保管するＤＶＤ倉庫とで構成したことを特徴とする情報の記録、保存、読出し再生システム。
【発明の詳細な説明】
【技術分野】
【０００１】
本発明は、病院や銀行、薬剤メーカー、大企業並びに研究所等のように、大量のデータを取り扱う環境において、記録した情報量がメディアの容量を超えたときに、簡単にメディアの交換が行え、また過去に使用されていたメディアに記録保存されていたデータであっても簡単に読出し再生ができるようにした情報処理システムに関するものである。
【背景技術】
【０００２】
病院等の医療機関においては、上位コンピュータとして、医療事務の全般を管理する医事マスターコンピュータ、患者に対する診察、検査、治療などの医療行為について管理する電子カルテのマスターコンピュータ、検査の指示や薬剤についての指示出しについて管理するオーダリングのマスターコンピュータ、患者へ投与する薬剤について管理する調剤のマスターコンピュータ、会計について管理する医事会計のマスターコンピュータ、臨床検査システムのマスターコンピュータ、レントゲン等の放射線について管理する放射線のマスターコンピュータ等の多くのものがあり、これらが医師や検査室、薬剤調合室、ナースステーション等の病院内における各種の端末コンピュータとオンラインで接続され、情報のやり取りが行えるようになっている。
【０００３】
このような病院等の医療機関では、各患者ごとにデータの記録、保存、読出し再生を行う必要があり、ある一定期間内の取り扱うデータ量は膨大なものである。
ところが、従来の病院等の医療機関においては、それぞれの前記マスターコンピュータのハードディスク（ＨＤＤ）にそれぞれの部門のデータを保存するようにしており、ハードディスクの容量がいっぱいになったときは、ハードディスクのメモリーを増設することで対処しているのが通常であった。そのため、メモリー増設のためのシステム変更時に、データの転送に莫大な時間と手間とを必要とする欠点があった。
また前記ハードディスク保存方式は、常にハードディスクへアクセスできる状態で行う必要があり、一旦、削除したデータについては、再びそのデータをオンラインで利用することができないでいた。またハードディスクのデータを別のメディアに移し変えてデータを保存する方式を採用した場合、保存するメディアが膨大な数となり、しかも一括管理されていないため、必要な過去のデータを即座に探し出すことが出来ず、更にはメディアに保存記録した時点と過去のデータを読み出したい時点との間に、コンピュータのシステムに変更があった場合には過去のメディアにアクセスできない場合等があった。
そのため、従来にあっては、できるだけ容量の大きいＤＶＤのメディアを採用するようにしていた。このようなＤＶＤのメディアを採用した技術として、特許文献１及び特許文献２に記載されたものがある。
【０００４】
特許文献１に記載された発明は、複数の情報記録装置を並列に制御し利用する技術に関するものであり、具体的にはＤＶＤの抜き差し簡便性を活かすと共に、格納情報の信頼性を強化し、媒体を抜いた後においても、抜く前と変わらなく使用できる技術に関するものである。その構成は、情報端末装置としてのＰＣと、センタコントローラと、接続機構と、モジュールボックスとからなる。モジュールボックスは、複数のＤＶＤを取り扱うことのできるＤＶＤチェンジャーやＨＤＤアレイである。ＰＣから必要なデータが要求されると、センタコントローラが接続機構を解して必要なモジュールボックスへアクセスし、ＤＶＤをその読み取りドライブへ装填し、データを読み取ってＰＣ側へ送信するようにしている。
またこの特許文献１では、ＲＡＩＤシステムを利用し、コンピュータの情報を特性に応じて複数に分割し、モジュールボックス内にある少なくとも一つのＤＶＤ上の複数領域に個別に記録することで、高速の読出しを可能とし、ＤＶＤをとりだしたあとも、複数領域に記録した情報から再作成して読み出すことができるようにしている。
【０００５】
また特許文献２に記載された技術にあっては、ＤＶＤチェンジャーのマガジンに格納した複数のＤＶＤのうちの一枚を、全部のディスクの一覧のための情報を書き込んだものとして利用するようにしている。一覧から見つけたタイトルメニューの部分データを、ディスクから読み出してハードディスクに保存している。そして、ハードディスクに保持した部分データを使用して部分的な再生を行っている間に、該当するＤＶＤをディスクドライブへ装填し、部分データと同期させて再生することで、タイトルプログラムの選択と確定（再生の開始）をディスクの交換なしでユーザが一連の操作で行えるようにしている。
【特許文献１】特開２０００−１６３２２４号公報
【特許文献２】特開平１１−２９６９５９号公報
【発明の開示】
【発明が解決しようとする課題】
【０００６】
しかしながら、前記特許文献１及び２に示す技術にあっては、いずれのものもＤＶＤチェンジャーなどを用いて複数のＤＶＤを取り扱うようにしただけであり、ＤＶＤチェンジャー内のＤＶＤの容量がいっぱいになったときには、ＤＶＤチェンジャーをＬＡＮ接続する等して増設する必要があり、やはり、大掛かりなシステムの変更を行わなければならなかった。
またいずれの技術においても、システムの全体がオンライン接続されていることが必要であり、オフラインでの使用はできなかった。そのため、上位のマスターコンピュータが何らかの原因で故障したような場合は、メディアに保存されている全てのデータの読み取り、判別ができなくなり、事実上、使用不可能となる欠点があった。
【０００７】
本発明は従来の前記課題に鑑みてこれを改良除去したものであって、記録した情報量がメディアの容量を超えたときに、簡単にメディアの交換が行え、また過去に使用されていたメディアに記録保存されていたデータであっても簡単に読出し再生ができるようにした情報処理システムを提供せんとするものである。
【課題を解決するための手段】
【０００８】
而して、前記課題を解決するために本発明が採用した請求項１の手段は、上位システムのコンピュータと、識別記号を付与してデータ及びＤＶＤの管理を行う管理サーバと、複数のＤＶＤを収納してなるＤＶＤチェンジャーと、前記ＤＶＤチェンジャーを制御し、ＤＶＤチェンジャー内の選択されたＤＶＤに対してデータの書き込み・読出し・保存を行う制御端末と、ＤＶＤチェンジャーから取り出されたＤＶＤを、当該ＤＶＤに付与された識別記号ごとに保管するＤＶＤ倉庫とで構成したことを特徴とする情報の記録、保存、読出し再生システムである。
【０００９】
本発明が採用した請求項２の手段は、ＤＶＤチェンジャー内の選択されたＤＶＤに対してデータの書き込み・読出し・保存を行う制御端末と、ＤＶＤチェンジャーから取り出されたＤＶＤを、当該ＤＶＤに付与された識別記号ごとに保管するＤＶＤ倉庫とで構成したことを特徴とする情報の記録、保存、読出し再生システムである。
【発明の効果】
【００１０】
請求項１の発明にあっては、例えば、上位システムの複数のコンピュータと、ＤＶＤチェンジャーに接続された制御端末との間に、管理サーバを配置するようにしている。この管理サーバは、前記上位システムの複数のコンピュータで取り扱われているデータに対して識別符号を付与し、ＤＶＤチェンジャー内のＤＶＤに当該データを書き込んで保存したり、ＤＶＤからデータを取り出して再生したりするようにしている。ＤＶＤには大量のデータを記録保存することができるので、大量のデータを取り扱う病院等にとっては最適である。またＤＶＤ方式は、ＨＤＤ方式に比較して増設が容易であり、増設に伴って大量のデータを移動させるなどの煩雑な作業は不要である。
【００１１】
また管理サーバは、ＤＶＤ自体にも識別記号を付与し、どのデータがどのＤＶＤに保存されているか及びＤＶＤは現在どの位置にあるのか、つまり、ＤＶＤチェンジャー内の位置やＤＶＤ倉庫内の格納位置等の管理をするようにしている。これにより、ＤＶＤ倉庫内にオフライン方式で格納されたデータを一括管理することができ、１０数年前の過去のデータであっても、容易に探し出すことが可能である。
【００１２】
更に、ＤＶＤチェンジャー内の全てのＤＶＤの容量がいっぱいになった時、又はある一枚のＤＶＤの容量がいっぱいになった時には、ＤＶＤチェンジャーの複数の各マガジンラックごと識別記号を付与してＤＶＤ倉庫に格納するか、又は一枚のＤＶＤ単体を付与された識別記号に応じてＤＶＤ倉庫内に格納するようにしている。これであれば、いくらでも容量を増やすことが容易に可能であり、しかも病院等における膨大なデータを１０数年等の長期間保存することも容易である。
【００１３】
通常の使用状態にあっては、ＤＶＤチェンジャー内のＤＶＤと、複数の上位コンピュータとの間でデータのやりとりを行っているが、例えば、数年前のデータを参照したいような場合には、当該データが保存されているＤＶＤを識別記号に基づいてＤＶＤ倉庫から取り出してきて、ＤＶＤチェンジャーのドライブ内へ装填し、オンラインにて上位コンピュータ上で参照するようにすればよい。つまり、ＤＶＤ倉庫はオフラインであり、必要に応じてメディアの単体をオンラインへ接続できるように取り扱うことができる。
更にまた、上位コンピュータが何らかの原因で駆動しなくなったような場合には、制御端末若しくは別途のＤＶＤドライブ装置を利用して、ＤＶＤ内のデータへアクセスし、これを参照することも可能である。
【００１４】
請求項２の発明にあっては、ＤＶＤチェンジャー内の選択されたＤＶＤに対してデータの書き込み・読出し・保存を行う制御端末と、ＤＶＤチェンジャーから取り出されたＤＶＤを、当該ＤＶＤに付与された識別記号ごとに保管するＤＶＤ倉庫とで情報の記録、保存、読出し再生システムを構成するようにしている。この発明の基本的な構成は、前記請求項１の発明と同じであり、ＤＶＤチェンジャー内の全てのＤＶＤの容量がいっぱいになった時、又はある一枚のＤＶＤの容量がいっぱいになった時には、ＤＶＤチェンジャーの複数の各マガジンラックごと識別記号を付与してＤＶＤ倉庫に格納するか、又は一枚のＤＶＤ単体を付与された識別記号に応じてＤＶＤ倉庫内に格納するようにしている。この場合も、いくらでも容量を増やすことが容易に可能であり、しかも病院等における膨大なデータを１０数年等の長期間保存したりすることができる。
なお、管理サーバを保持しない、この請求項２の発明では、識別記号の管理は、制御端末で行うようにすればよい。
【発明を実施するための最良の形態】
【００１５】
以下に、本発明の構成を、病院等の医療機関に適用した場合の実施の形態に基づいて、図面を参照して説明すると次の通りである。図１は、本発明の一実施の形態に係る情報の記録、保存、読出し再生システムの全体を示す構成図である。同図に示す如く、病院等の医療機関においては、医療事務の全般を管理する医事マスターコンピュータ１と、患者に対する診察、検査、治療などの医療行為について管理する電子カルテのマスターコンピュータ２と、検査の指示や薬剤についての指示出しについて管理するオーダリングのマスターコンピュータ３と、患者へ投与する薬剤について管理する調剤のマスターコンピュータ４と、会計について管理する医事会計のマスターコンピュータ５と、臨床検査システムのマスターコンピュータ６と、レントゲン等の放射線について管理する放射線のマスターコンピュータ７と、その他の専門分野を担当するマスターコンピュータ等の多くのものがあり、これらが医師や
検査室、薬剤調合室、ナースステーション等の病院内における各種の端末コンピュータ８〜１１とＬＡＮ又はＷＡＮ等によってオンライン接続されており、情報のやり取りが行えるようになっている。
【００１６】
またこの実施の形態にあっては、前記ＬＡＮ又はＷＡＮ等に対して管理サーバ１２をオンライン接続している。この管理サーバ１２は、識別符号を付与してデータ及びＤＶＤの管理を行うものであり、下位に制御端末（ＰＣ）１３が接続されている。また管理サーバ１２は、ＤＶＤ自体にも識別記号を付与し、どのデータがどのＤＶＤに保存されているか及びＤＶＤは現在どの位置にあるのか、つまり、後述するＤＶＤチェンジャー１４内におけるＤＶＤの位置やＤＶＤ倉庫１５内の格納位置等の管理をするようにしている。
更に、この制御端末１３の下位には、複数のマガジンラック（例えば、１３個のマガジン等）のそれぞれに、複数のＤＶＤが格納されているＤＶＤチェンジャー１４が接続されている。ＤＶＤチェンジャー１４は、指定されたマガジンラックから指定されたＤＶＤを取り出し、これにデータの書き込みを行ったり、書き込まれたデータを読み込んで表示したりすることができるようになっている。
【００１７】
更にまた、この実施の形態にあっては、管理サーバ１２によって付与された識別記号に基づいて前記ＤＶＤチェンジャー１４から取り出されたＤＶＤを保管する倉庫１５が設けられている。識別記号は、各上位コンピュータ１〜７ごとに区分して、それぞれの区分の中で整理番号を割り当てたものを用いるようにしてもよく、またキーワード或いは複数のキーワードの組み合わせたものを用いるようにしてもよい。要するに、倉庫に何らかの基準を設けて区分し、この区分に応じて保管するようにすればよい。なお、このＤＶＤ倉庫１５は、図１に示すように、上記各オンラインシステムとは切り離されており、オフラインとなっている。
【００１８】
次に、このように構成された情報の記録、保存、読出し再生システムの動作態様を説明する。通常のオンライン使用状態にあっては、上位の各医事、電子カルテ、オーダリング、調剤、会計、臨床検査、放射線のマスターコンピュータ１〜７は、ＬＡＮ接続を介して各部門の情報端末８〜１１と接続されている。そのため、医師又は検査員、薬剤師、看護師等はそれぞれの情報端末８〜１１から上位コンピュータ１〜７へアクセスし、必要な情報を参照したり、また診察情報や検査情報、薬剤情報、患者に対する処置情報等を書き込んだりしている。
またＤＶＤチェンジャー１４のＤＶＤドライブに装填されたＤＶＤに対して前記情報を書き込んだり、当該ＤＶＤから情報を参照したりするようにしている。
【００１９】
而して、ＤＶＤチェンジャー１４内の全てのＤＶＤの容量がいっぱいになった時、又はある一枚のＤＶＤの容量がいっぱいになった時には、ＤＶＤチェンジャー１４のマガジンラックごと識別記号を付与してＤＶＤ倉庫１５に格納するか、又は一枚のＤＶＤ単体を付与された識別記号に応じてＤＶＤ倉庫１５内に格納するようにしている。これであれば、倉庫のＤＶＤ格納スペースを増やすだけで、いくらでもデータの保存容量を増やすことが可能である。しかもその増設作業は極めて容易であり、上位コンピュータや各部署の情報端末のオンラインシステムを止めてデータの移動を行う必要もない。また病院等では、取り扱うデータを１０年間保存することが義務付けられているが、ＤＶＤオフライン方式であれば、かかる膨大なデータであっても１０年もの長期間保存することは容易である。
【００２０】
更に、オフライン方式でＤＶＤ倉庫１５に保管されているＤＶＤに書き込まれたデータを参照する必要のある場合は、各情報端末８〜１１等から管理サーバ１２に問い合わせを行い、その識別記号を検索し、該当するＤＶＤをＤＶＤ倉庫１５から取り出し、これをＤＶＤチェンジャー１４内のＤＶＤドライブへ装填すればよい。これであれば、数年前の過去のデータであっても即座に探し出すことができ、データの有効活用が可能である。
【００２１】
また何らかの原因で上位コンピュータ１〜７及び/又は各部署の情報端末機器８〜１１のオンラインシステムが機能しなくなった場合であっても、制御端末１３及びその下位のＤＶＤチェンジャー１４が正常に動作するものであれば、ＤＶＤチェンジャー１４内の各マガジンラックに格納されている複数のＤＶＤに記録保存されているデータ及びＤＶＤ倉庫１５内に格納されているＤＶＤに記録保存されている過去のデータをオフライン方式で参照することが可能である。この場合の識別記号の管理は、制御端末１３で行えばよい。すなわち、管理サーバ１２が故障した場合に備えて、制御端末１３にも管理サーバ１２の識別記号管理情報を記憶させておけばよい。
【産業上の利用可能性】
【００２２】
ところで、本実施の形態は、本発明を病院等の医療システムに適用した場合に基づいて説明したが、本発明はこれに限定されるものではなく、銀行、薬剤メーカー、大企業並びに研究所等のように、大量のデータを取り扱う環境において利用することが可能である。重要なことは、記録した情報量がメディアの容量を超えたときに、簡単にメディアの交換が行え、また過去に使用されていたメディアに記録保存されていたデータであっても簡単に読出し再生ができるようにしたことにある。
【図面の簡単な説明】
【００２３】
【図１】本発明の一実施の形態に係るものであり、システムの全体構成を示す図面である。
【符号の説明】
【００２４】
１…医事コンピュータ、２…電子カルテコンピュータ、３…オーダリングコンピュータ、４…調剤コンピュータ、５…会計コンピュータ、６…臨床検査コンピュータ、７…放射線コンピュータ、８…医師情報端末、９…検査室情報端末、１０…薬剤調合室情報端末、１１…ナースステーション情報端末、１２…管理サーバ、１３…制御端末、１４…ＤＶＤチェンジャー、１５…ＤＶＤ倉庫
【図１】
2007149146.tif 000003